(57)【要約】【課題】複数電源により構成されるプリンタなどの電子写真式画像形成装置において、電源システムの異常を安価に検出するとともに、電源立ち上がり時間の最適判断を行い、ウエイト時間の短縮を図る。【解決手段】低圧電源Ａと低圧電源Ｂの少なくとも２つ以上の電源を有する電源システムからなる画像形成装置において、低圧電源Ｂからの出力電圧を電源として駆動される複数のファンモータの駆動状態から低圧電源Ｂの故障を判定する。また、低圧電源Ｂの出力電圧をドアスイッチを介して検出し、この検出結果に基づき電源立ち上がりを判定する。【選択図】        図１
2006010825.tif 000002
【特許請求の範囲】
【請求項１】
ＤＣ電圧を出力する低圧電源Ａと、
前記低圧電源Ａからの出力電圧により駆動され、画像形成装置の制御を司る中央演算装置と、
前記低圧電源Ａとは独立してＤＣ電圧を出力する前記中央演算装置によりオン／オフされる低圧電源Ｂと、
前記中央演算装置からの駆動信号によりオン／オフ制御され、前記中央演算装置に対し駆動状態が正常であるか否かを判断するための信号を出力する手段を備え、前記低圧電源Ｂからの出力電圧を駆動電源とする複数のファンモータと、
を有した画像形成装置において、
前記中央演算装置は、前記複数のファンモータからの前記出力信号により前記低圧電源Ｂの異常を検出することを特徴とする画像形成装置。
【請求項２】
前記中央演算装置は、前記低圧電源Ｂの異常を検出したときには、前記低圧電源Ｂをオフとし、画像コントローラに報知または表示部に表示する制御を行うことを特徴とする請求項１に記載の画像形成装置。
【請求項３】
ＤＣ電圧を出力する低圧電源Ａと、
前記低圧電源Ａからの出力電圧により駆動され、画像形成装置の制御を司る中央演算装置と、
前記低圧電源Ａとは独立してＤＣ電圧を出力する前記中央演算装置によりオン／オフされる低圧電源Ｂと、
前記中央演算装置からの駆動信号によりオン／オフ制御され、前記中央演算装置に対し駆動状態が正常であるか否かを判断するための信号を出力する手段を備え、前記低圧電源Ｂからの出力電圧を駆動電源とする複数のファンモータと、
前記低圧電源Ｂの出力はインタロックスイッチを介して高圧制御部の入力電源となり、前記高圧制御部の入力電圧を分圧して前記中央演算装置に入力され、前記中央演算装置は前記入力された情報に基づいてインタロックスイッチのオン／オフを判定する判定手段と、
を有した画像形成装置において、
前記中央演算装置は、インタロックスイッチがオン状態であることを判定した場合には、前記低圧電源Ｂは正常であると判断し、前記インタロックスイッチがオフ状態であることを判定した場合には、前記複数のファンモータからの前記出力信号により前記低圧電源Ｂの異常を検出することを特徴とする画像形成装置。
【請求項４】
ＤＣ電圧を出力する低圧電源Ａと、
前記低圧電源Ａからの出力電圧により駆動され、画像形成装置の制御を司る中央演算装置と、
前記低圧電源Ａとは独立してＤＣ電圧を出力する前記中央演算装置によりオン／オフされる低圧電源Ｂと、
前記低圧電源Ｂの出力はインタロックスイッチを介して高圧制御部の入力電源となり、前記高圧制御部の入力電圧を分圧して前記中央演算装置に入力され、前記中央演算装置は前記入力された情報に基づいてインタロックスイッチのオン／オフを判定する判定手段と、
を有した画像形成装置において、
前記中央演算装置は、低圧電源Ｂをオンしてからの一定時間ｔｄ経過と前記一定時間ｔｄ経過までのインタロックスイッチの状態とを判定し、前記低圧電源Ｂの起動を判断する制御部であることを特徴とする画像形成装置。
【発明の詳細な説明】
【技術分野】
【０００１】
本発明は、複数の電源を備えたＤＣ電源システムを有する複写機、プリンタ等の画像形成装置に関するものである。
【背景技術】
【０００２】
従来、この種の画像形成装置の電源構成として、特許文献１に記載されているように、２４Ｖなどの駆動系（モータ、クラッチ、ソレノイドなど）や高圧電源のための低圧電源Ｂと、主に３Ｖや５Ｖなどの非画像形成に必要な制御部やセンサ等のための低圧電源Ａを備えている。敢えて電源を分けているのは、省電力モードのときなどに電力低減を図るためであり、低圧電源Ｂは中央演算装置（ＣＰＵ）によりオンオフ制御が可能となっている。特に近年の画像形成スピードの高速化やペーパハンドリング向上のための拡張オプションなどを考慮すると、低圧電源Ｂの出力は高くする必要があり、低圧電源Ｂには力率改善のため、アクティブ・フィルタとアクティブ・フィルタを介して出力される電圧を基に２４Ｖ出力を行う低圧電源Ｃから構成されている。このような電源構成では、アクティブ・フィルタと低圧電源Ｃをオンオフ制御することにより、低圧電源Ｂの出力がオンオフ制御されるようになっている。特に、非画像形成時の待機時などにはアクティブ・フィルタと低圧電源Ｃをオフすることにより、画像形成装置全体の消費電力を低減させる制御が行われている。
【特許文献１】特開平９−１６６９４２号公報
【発明の開示】
【発明が解決しようとする課題】
【０００３】
しかしながら、このような複数電源構成では、低圧電源Ｂに異常が発生したとしても、画像形成装置の制御部（ＣＰＵ）は低圧電源Ａの出力を基に動作しているため、低圧電源Ｂの出力である２４Ｖを使用する状況、たとえばプリント動作などがなされない限り故障に気づくことはなかった。
【０００４】
また、電源オン時や省電力モードからの復帰時には低圧電源Ｂの立ち上げには所定の順序とシーケンスが求められ、それぞれのばらつきを考慮すると、２４Ｖが立ち上がり、画像形成装置が動作可能になるまでは長い時間を見込む必要があり、ウエイト時間が長くなるといった欠点があった。
【０００５】
本発明は、上述の点に鑑みてなされたもので、
本出願に係わる第一の発明の目的は、特別に電源故障検知用の入力部を設けることなく、安価な構成にて電源故障を検出する画像形成装置を提供することにある。
【０００６】
本出願に係わる第二の発明の目的は、電源故障を検知した場合にこれをユーザやホストに知らしめることにある。
【０００７】
本出願に係わる第三の発明の目的は、電源が正常であることを容易に判定することにある。
【０００８】
本出願に係わる第四の発明の目的は、ウエイト時間を最適に判断することにある。
【課題を解決するための手段】
【０００９】
上記課題を達成するために請求項１に記載の発明は、ＤＣ電圧を出力する低圧電源Ａと、前記低圧電源Ａからの出力電圧により駆動され、画像形成装置の制御を司る中央演算装置と、前記低圧電源Ａとは独立してＤＣ電圧を出力する前記中央演算装置によりオン／オフされる低圧電源Ｂと、前記中央演算装置からの駆動信号によりオン／オフ制御され、前記中央演算装置に対し駆動状態が正常であるか否かを判断するための信号を出力する手段を備え、前記低圧電源Ｂからの出力電圧を駆動電源とする複数のファンモータと、を有した画像形成装置において、前記中央演算装置は、前記複数のファンモータからの前記出力信号により前記低圧電源Ｂの異常を検出することを特徴とする。
【００１０】
また、請求項２に記載の発明は、請求項１に記載の画像形成装置において、前記中央演算装置は、前記低圧電源Ｂの異常を検出したときには、前記低圧電源Ｂをオフとし、画像コントローラに報知または表示部に表示する制御を行うことを特徴とする。
【００１１】
また、請求項３に記載の発明は、ＤＣ電圧を出力する低圧電源Ａと、前記低圧電源Ａからの出力電圧により駆動され、画像形成装置の制御を司る中央演算装置と、前記低圧電源Ａとは独立してＤＣ電圧を出力する前記中央演算装置によりオン／オフされる低圧電源Ｂと、前記中央演算装置からの駆動信号によりオン／オフ制御され、前記中央演算装置に対し駆動状態が正常であるか否かを判断するための信号を出力する手段を備え、前記低圧電源Ｂからの出力電圧を駆動電源とする複数のファンモータと、前記低圧電源Ｂの出力はインタロックスイッチを介して高圧制御部の入力電源となり、前記高圧制御部の入力電圧を分圧して前記中央演算装置に入力され、前記中央演算装置は前記入力された情報に基づいてインタロックスイッチのオン／オフを判定する判定手段と、を有した画像形成装置において、前記中央演算装置は、インタロックスイッチがオン状態であることを判定した場合には、前記低圧電源Ｂは正常であると判断し、前記インタロックスイッチがオフ状態であることを判定した場合には、前記複数のファンモータからの前記出力信号により前記低圧電源Ｂの異常を検出することを特徴とする。
【００１２】
また、請求項４に記載の発明は、ＤＣ電圧を出力する低圧電源Ａと、前記低圧電源Ａからの出力電圧により駆動され、画像形成装置の制御を司る中央演算装置と、前記低圧電源Ａとは独立してＤＣ電圧を出力する前記中央演算装置によりオン／オフされる低圧電源Ｂと、前記低圧電源Ｂの出力はインタロックスイッチを介して高圧制御部の入力電源となり、前記高圧制御部の入力電圧を分圧して前記中央演算装置に入力され、前記中央演算装置は前記入力された情報に基づいてインタロックスイッチのオン／オフを判定する判定手段と、を有した画像形成装置において、前記中央演算装置は、低圧電源Ｂをオンしてからの一定時間ｔｄ経過と前記一定時間ｔｄ経過までのインタロックスイッチの状態とを判定し、前記低圧電源Ｂの起動を判断する制御部であることを特徴とする。
【発明の効果】
【００１３】
以上説明したように、
請求項１に係わる発明によれば、ＤＣ電圧を出力する低圧電源Ａと、前記低圧電源Ａからの出力電圧により駆動され、画像形成装置の制御を司る中央演算装置と、前記低圧電源Ａとは独立してＤＣ電圧を出力する前記中央演算装置によりオン／オフされる低圧電源Ｂと、前記中央演算装置からの駆動信号によりオン／オフ制御され、前記中央演算装置に対し駆動状態が正常であるか否かを判断するための信号を出力する手段を備え、前記低圧電源Ｂからの出力電圧を駆動電源とする複数のファンモータと、を有した画像形成装置において、前記中央演算装置は、前記複数のファンモータからの前記出力信号により前記低圧電源Ｂの異常を検出するため、特別に電源故障検知用の入力部を設けることなく、安価な構成にて電源故障を検出する画像形成装置を提供できる。
【００１４】
また、請求項２に係わる発明によれば、前記中央演算装置は、前記低圧電源Ｂの異常を検出したときには、前記低圧電源Ｂをオフとし、画像コントローラに報知または表示部に表示する制御を行うため、電源故障を検知した場合にこれをユーザやホストに知らしめることができるとともに、電源以外の箇所へのダメージを低減させることができる。
【００１５】
また、請求項３に係わる発明によれば、ＤＣ電圧を出力する低圧電源Ａと、前記低圧電源Ａからの出力電圧により駆動され、画像形成装置の制御を司る中央演算装置と、前記低圧電源Ａとは独立してＤＣ電圧を出力する前記中央演算装置によりオン／オフされる低圧電源Ｂと、前記中央演算装置からの駆動信号によりオン／オフ制御され、前記中央演算装置に対し駆動状態が正常であるか否かを判断するための信号を出力する手段を備え、前記低圧電源Ｂからの出力電圧を駆動電源とする複数のファンモータと、前記低圧電源Ｂの出力はインタロックスイッチを介して高圧制御部の入力電源となり、前記高圧制御部の入力電圧を分圧して前記中央演算装置に入力され、前記中央演算装置は前記入力された情報に基づいてインタロックスイッチのオン／オフを判定する判定手段と、を有した画像形成装置において、前記中央演算装置は、インタロックスイッチがオン状態であることを判定した場合には、前記低圧電源Ｂは正常であると判断し、前記インタロックスイッチがオフ状態であることを判定した場合には、前記複数のファンモータからの前記出力信号により前記低圧電源Ｂの異常を検出するため、電源の正常／異常を容易に判定できる。
【００１６】
また、請求項４に係わる発明によれば、ＤＣ電圧を出力する低圧電源Ａと、前記低圧電源Ａからの出力電圧により駆動され、画像形成装置の制御を司る中央演算装置と、前記低圧電源Ａとは独立してＤＣ電圧を出力する前記中央演算装置によりオン／オフされる低圧電源Ｂと、前記低圧電源Ｂの出力はインタロックスイッチを介して高圧制御部の入力電源となり、前記高圧制御部の入力電圧を分圧して前記中央演算装置に入力され、前記中央演算装置は前記入力された情報に基づいてインタロックスイッチのオン／オフを判定する判定手段と、を有した画像形成装置において、前記中央演算装置は、低圧電源Ｂをオンしてからの一定時間ｔｄ経過と前記一定時間ｔｄ経過までのインタロックスイッチの状態とを判定し、前記低圧電源Ｂの起動を判断する制御部であるため、不要なウエイト時間をなくすことができ、ウエイト時間の最適化ができる。
【発明を実施するための最良の形態】
【００１７】
以下本発明を実施するための最良の形態を、実施例により詳しく説明する。
【実施例１】
【００１８】
図２に、本発明の画像形成装置の制御ブロック図を示す。なお、画像形成装置の例として、レーザプリンタを用いている。
【００１９】
図２において、２０１はＡＣ電源であり、通常の商用電源である。ＡＣ電源２０１の出力はアクティブ・フィルタ２０３と低圧電源Ａ２０５に入力される。２０２はその内部にアクティブ・フィルタ２０３と低圧電源Ｂ２０４と定着制御部２０６を含んでおり、一般的なレーザプリンタの電源ユニットである。アクティブ・フィルタ２０３はＣＰＵ２０８からのＡＦ  ＯＮ信号によりオンオフ制御され、オンされたときには低圧電源Ｂ２０４に対して＋４００ＶＤＣの電圧を出力する。低圧電源Ｂは、ＣＰＵ２０８からのＰＳＢ  ＯＮ信号によりオンオフ制御され、主に駆動系や高圧の電源となる２４Ｖを出力する。低圧電源Ａ２０５はＡＣを入力され、ＣＰＵなどのロジック系電源となる３．３Ｖとレーザ電源となる５Ｖを出力する。２０６は定着制御部で、ＣＰＵ２０８からの信号により定着器２１７をオンオフ制御する。２０７はＤＣコントローラであり、プリンタエンジンの各部を画像コントローラ２１２の指示にしたがって動作制御すると共に、画像コントローラ２１２へプリンタ内部情報を報知するための制御部（ＣＰＵ２０８）を備えている。２１３は駆動部であり、主にメインモータ、クラッチ、ソレノイドからなり、用紙搬送を行う。２１４はレーザスキャナ部であり、半導体レーザ、スキャナモータ、ＢＤ（Ｂｅａｍ  Ｄｅｔｅｃｔ）センサからなり、感光体ドラムに静電潜像を形成する。２１５はファンモータ部であり、装置や用紙を冷却するために用いられている。２１６は表示部であり、オペレータが行ったスイッチ操作を画像コントローラ２１２に伝達し、なおかつ画像コントローラ２１２は表示部を通してオペレータに対してジャムや用紙位置などの機内情報を報知することができる。２０９はセンサ部であり、用紙搬送の各タイミングやドアオープン検知、用紙カセットや紙有無を検知するために備えられている。２１０はオプション部であり、多段カセットや両面ユニットなどがある。２１１は高圧部であり、現像、帯電、転写の各高圧を出力する。２１２は画像コントローラであり、ホストからの指示を受け、プリントの指示や画像データ処理を行う。ＣＰＵ２０８と画像コントローラ２１２間は不図示のコマンド（ＣＭＤ）、ステータス（ＳＴＳ）と呼ばれる通信信号でシリアル通信を行っている。
【００２０】
次に、図１に本実施例におけるＣＰＵ２０８が行う制御フローを示す。
【００２１】
電源が投入されると、低圧電源Ａ２０５から３．３Ｖと５Ｖが出力され、ＣＰＵ２０８の動作が開始される。ＣＰＵ２０８はＡＦ  ＯＮ信号をｔｒｕｅ状態とし、アクティブ・フィルタ２０３をＯＮする（Ｓ１０１）。次に一定時間ｔａが経過するまで待機する（Ｓ１０２）。ここで一定時間待機する理由は、アクティブ・フィルタの出力電圧＋４００ＶＤＣが安定するまでの時間が必要なためであり、通常は１秒程度である。次にＰＳＢ  ＯＮ信号（低圧電源Ｂ  ＯＮ信号）をｔｒｕｅ状態とし、低圧電源ＢをＯＮする（Ｓ１０３）。ここで一定時間ｔｂが経過するまで待機する（Ｓ１０４）。時間ｔｂを待つ理由は、低圧電源Ｂの出力電圧２４Ｖが安定するまでの時間が必要なためである。次に全ファンモータをＯＮする（Ｓ１０５）。
【００２２】
ここで、ファンモータ制御について、図３を用いて説明する。ここでは、３個のファンモータを備えた構成としている。ＣＰＵ２０８からは１つのファンモータに対して２本の制御信号がある。たとえば、ファンモータ１  Ｆ１０１に対しては、Ｆ１−ＯＮ信号とＦ１−ＬＫ信号である。Ｆ１−ＯＮ信号はファンモータ１の駆動信号である。“Ｌ”レベルのときにはＴｒ１がオフ状態のため、Ｔｒ２のベース電位は２４Ｖとなり、Ｔｒ２はオフ状態となるため、ファンモータ１には電圧が供給されない。“Ｈ”レベルのときには、Ｔｒ１がオン状態となり、Ｒ１を電流が流れるため、Ｔｒ２のベース電位も低下し、Ｔｒ２はオン状態となる。これにより、ファンモータ１に電圧が供給され、ファンモータ１が回転する。Ｆ１−ＬＫ信号は、ファンモータ１のロック検知信号である。ファンモータ１内部には駆動用ＩＣが備えられており、ホール素子などを用いた回転状況の検出が行われている。ＩＣに電圧が与えられた状態では、通常“Ｌ”レベルが出力される。ＣＰＵ２０８は、ファンモータ１をオンしたときにＦ１−ＬＫ信号が“Ｈ”レベルのときには、ファンモータ１がロック状態などの故障状態にあることを検出する。ファンモータ２、ファンモータ３についても同様の制御を行う。
【００２３】
Ｓ１０６で一定時間ｔｃを経過するまで待機する。ここでｔｃ待機する理由は、ファンモータの駆動を指示してからファンロック検知信号が出力されるまでには所定時間を要するためである。次に各ファンモータのロック信号の読み込みを行う（Ｓ１０７）。次に故障ファンモータがあるかどうかを判断する（Ｓ１０８）。ファンモータに故障がないと判断した場合には、ステップ１０９で低圧電源Ｂは正常であると判定し、本シーケンスを終了する。ファンモータに故障があると判断した場合には、ステップ１１０で正常ファンモータがあるかどうかを判断する。正常なファンモータがあると判断できた場合には、ステップ１０９に移行し、低圧電源Ｂは正常と判定する。正常なファンモータがなく、全てのファンモータが故障と判断した場合には、ステップ１１１に移行し、低圧電源Ｂに異常があると判定し、本シーケンスを終了する。
【００２４】
以上のように複数のファンモータのロック信号を検出し、これを判断することで、電源の異常を検出することが可能となる。
【００２５】
なお、本実施例では、電源ＯＮ時に全ファンモータを駆動して検出する方式としたが、各ファンモータは独立制御可能であるため、少なくとも２つ以上のファンモータが駆動されるときに同様の制御が適用可能である。また、電源Ｂをアクティブ・フィルタと電源Ｃで構成したが、アクティブ・フィルタがない電源構成の場合についても適用可能である。
【実施例２】
【００２６】
本実施例では、ファンモータのロック検知信号により電源故障を検出した後の処理について述べる。たとえば、低圧電源Ｂのシステムに故障が発生した場合、低圧電源Ｂを構成する何らかの部品に異常が発生したことが考えられる。電源に異常が発生した場合、品質上の観点からは動作を停止させることが好ましい。また、低圧電源Ａは正常であることから、ユーザはこの異常状態を認識することができない。
【００２７】
そこで、ＣＰＵ２０８は電源故障を判定した場合には、低圧電源Ｂのシステムを全てオフとすべく、ＡＦ  ＯＮ信号とＰＳＢ  ＯＮ信号をオフとし、アクティブ・フィルタと低圧電源Ｂをオフにする。また、画像コントローラとのシリアル通信にて電源故障が発生したことを報知する。また、表示部に対して電源故障が発生したことを表示させ、ユーザに報知する。
【実施例３】
【００２８】
本実施例では、ドアオープンスイッチとして用いられるインタロックスイッチの状態を含めて電源故障を判断する方式について説明する。
【００２９】
図５は、図３に対してドアオープン検出部を追加した図となっている。高圧制御部に対しては、２４ＶがドアオープンスイッチＳＷ１０１を介して供給されている。スイッチＳ１０１を介して供給される高圧制御部の入力電圧は、Ｒ７とＲ８により分圧され、ＤＲＳＮＳ信号としてＣＰＵ２０８に入力されている。スイッチＳＷ１０１がオフ（開状態）のとき、ＤＲＳＮＳ信号のレベルは“Ｌ”となる。ＣＰＵ２０８はこのときドアオープンと判断する。一方スイッチＳＷ１０１がオン（閉状態）のとき、ＤＲＳＮＳ信号のレベルは“Ｈ”となり、ＣＰＵ２０８はこのときドアクローズと判断する。このようにしてドアオープン／クローズが検知される。
【００３０】
図４は、本実施例におけるＣＰＵ２０８が行う制御の制御フローを示したものである。
【００３１】
ステップＳ４０１〜ステップＳ４０４までは実施例１で説明したステップＳ１０１〜Ｓ１０４と同じであるため、再度の説明は省略する。ステップＳ４０５でドアクローズ／ドアオープンを判断する。ドアクローズと判断した場合には、低圧電源Ｂのシステムは正常と判定し（Ｓ４０６）、本シーケンスを終了する。低圧電源Ｂのシステムに異常が発生し、２４Ｖ出力が出ていないときには、ＤＲＳＮＳ信号のレベルはスイッチＳＷ１０１のオン／オフに係わらず常に“Ｌ”レベルとなる。つまり、ドアオープンとして検知される。ステップＳ４０５でドアオープンを検知した場合には、電源故障とドアオープンを区別すべく、全ファンモータをＯＮする（Ｓ４０７）。以下の処理については、実施例１で示した処理と同じ処理方式であるため、再度の説明を省略する。
【００３２】
なお、本実施例では、電源ＯＮ時のみに電源故障判定を行っているが、ドアオープンされる毎に少なくとも２つ以上のファンモータを駆動し、電源故障判定を行うことも可能であるし、ドアオープン状態では定期的に２つ以上のファン駆動を行い電源故障を判定し、判定終了後ファンモータを停止させることも可能である。
【実施例４】
【００３３】
本実施例では、低圧電源Ｂの立ち上がりに関して説明する。
【００３４】
図６は、アクティブ・フィルタの起動から低圧電源Ｂの起動までを示した図である。アクティブ・フィルタがオンされてから時間ｔａ後にアクティブ・フィルタは所定電圧（＋４００ＶＤＣ）を安定して出力するようになる。ＣＰＵ２０８はアクティブ・フィルタをオンしてから時間ｔａを経過したら、低圧電源Ｂをオンする。低圧電源Ｂの立ち上がりは、温度や負荷（たとえば、接続されるオプションなど）に影響され、速い場合と遅い場合がある。したがって、確実に立ち上がることを考慮した場合、図中のｔｄの時間が経過するのを待つ必要がある。
【００３５】
図７は本実施例におけるＣＰＵ２０８が行う制御の制御フローを示したものである。
【００３６】
電源が投入されると、低圧電源Ａ２０５から３．３Ｖと５Ｖが出力され、ＣＰＵ２０８の動作が開始される。ＣＰＵ２０８はＡＦ  ＯＮ信号をｔｒｕｅ状態とし、アクティブ・フィルタ２０３をＯＮする（Ｓ７０１）。次に一定時間ｔａが経過するまで待機する（Ｓ７０２）。次にＰＳＢ  ＯＮ信号（低圧電源Ｂ  ＯＮ信号）をｔｒｕｅ状態とし、低圧電源ＢをＯＮする（Ｓ７０３）。ここで一定時間ｔｄが経過しているかどうかを判断する（Ｓ７０４）。一定時間を経過していない場合には、ドアクローズ状態となっているかどうかを判定する（Ｓ７０５）。ドアクローズ状態となっていたときには、ステップＳ７０６に移行する。ドアオープンとなっていたときには、再度ステップＳ７０４に戻る。一定時間ｔｄが経過しているときには、低圧電源Ｂは起動したと判断し（Ｓ７０６）、本シーケンスを終了する。
【００３７】
以上のように、必ずしも一定時間ｔｄを待たずに低圧電源Ｂの立ち上がりを判断する制御方法が可能となる。
【図面の簡単な説明】
【００３８】
【図１】本発明に係わる第一の実施形態を説明するフローチャート
【図２】本発明に係わる画像形成装置の制御ブロック図
【図３】本発明に係わる第一の実施形態を説明するファン制御部のブロック図
【図４】本発明に係わる第三の実施形態を説明するフローチャート
【図５】本発明に係わる第三の実施形態を説明するファン制御部のブロック図
【図６】本発明に係わる第四の実施形態を説明する電源立ち上がりの図
【図７】本発明に係わる第四の実施形態を説明するフローチャート
【符号の説明】
【００３９】
２０２  低圧電源Ｂ
２０３  アクティブ・フィルタ
２０４  低圧電源Ｃ
２０５  低圧電源Ａ
２０８  中央演算装置（ＣＰＵ）
【図１】
2006010825.tif 000003
【図２】
2006010825.tif 000004
【図３】
2006010825.tif 000005
【図４】
2006010825.tif 000006
【図５】
2006010825.tif 000007
【図６】
2006010825.tif 000008
【図７】
2006010825.tif 000009